(57)【特許請求の範囲】
【請求項１】
コンピュータシステム及び電話設備を有する構成を設定する方法であって、前記コンピュータシステムはデータインタフェースを介し前記電話設備に接続され、前記コンピュータシステム及び前記電話設備は、各ケースにおいて、少なくとも１つの第１動作状態と少なくとも１つの第２動作状態とを有することが可能であり、
前記コンピュータシステムの入力ユニットによりユーザデータを読み込むステップであって、前記ユーザデータはユーザのパーソナル化されたアクセスデータを有する、読み込むステップと、
前記コンピュータシステムに格納されたユーザデータを利用してロジックユニットにより前記ユーザデータの有効性を確認するステップと、
前記読み込まれたユーザデータが前記ロジックユニットにより有効として評価されると、前記第１動作状態から前記第２動作状態への動作状態の変更をトリガするステップと、
前記第１動作状態から前記第２動作状態への前記コンピュータシステムの動作状態の変更に応じて、前記コンピュータシステムの制御ユニットにより制御データを生成するステップであって、前記制御データはパーソナル化された調整又は前記電話設備のパーソナル化された調整のためのコマンド命令を有する、生成するステップと、
前記データインタフェースを介し前記コンピュータシステムと前記電話設備との間で前記制御データをやりとりするステップと、
前記やりとりされる制御データに応じて、前記電話設備の設定ユニットにより前記電話設備の前記第２動作状態のために１以上のパラメータを設定するステップであって、前記パラメータは呼出音、音量、短いコードダイヤルキーへの所定のディレクトリ番号の割当て、及び通話リストの少なくとも１つを有する、設定するステップと、
前記第１動作状態から前記設定された第２動作状態に前記電話設備の動作状態を変更するステップと、
を有する方法。
【請求項２】
コンピュータシステム及び電話設備を有する構成を設定する方法であって、前記コンピュータシステムはデータインタフェースを介し前記電話設備に接続され、前記コンピュータシステム及び前記電話設備は、各ケースにおいて、少なくとも１つの第１動作状態と少なくとも１つの第２動作状態とを有することが可能であり、
前記電話設備の入力ユニットによりユーザデータを読み込むステップであって、前記ユーザデータはユーザのパーソナル化されたアクセスデータを有する、読み込むステップと、
前記電話設備に格納されたユーザデータを利用してロジックユニットにより前記ユーザデータの有効性を確認するステップと、
前記読み込まれたユーザデータが前記ロジックユニットにより有効として評価されると、前記第１動作状態から前記第２動作状態への動作状態の変更をトリガするステップと、
前記第１動作状態から前記第２動作状態への前記電話設備の動作状態の変更に応じて、前記電話設備の制御ユニットにより制御データを生成するステップであって、前記制御データはパーソナル化された調整又は前記コンピュータシステムのパーソナル化された調整のためのコマンド命令を有する、生成するステップと、
前記データインタフェースを介し前記コンピュータシステムと前記電話設備との間で前記制御データをやりとりするステップと、
前記やりとりされる制御データに応じて、前記コンピュータシステムの設定ユニットにより前記コンピュータシステムの前記第２動作状態のために１以上のパラメータを設定するステップと、
前記第１動作状態から前記設定された第２動作状態に前記コンピュータシステムの動作状態を変更するステップと、
を有する方法。
【請求項３】
前記制御データは、前記読み込まれたユーザデータに応じて生成される、請求項１又は２記載の方法。
【請求項４】
前記コンピュータシステムの第２動作状態のパラメータは、エネルギー消費、格納されているデータへのアクセス権限、データインタフェースへのアクセス権限、アプリケーションプログラムの実行、前記コンピュータシステムのディスプレイユニットのディスプレイの様相、及び前記コンピュータシステムの音声出力ユニットの音声出力のパラメータの少なくとも１つを有する、請求項２又は３記載の方法。
【請求項５】
前記コンピュータシステム及び前記電話設備の設置場所に関する情報及び／又はデバイス情報が、前記データインタフェースを介し前記コンピュータシステムと前記電話設備との間でやりとりされる、請求項１又は２記載の方法。
【請求項６】
コンピュータシステム及び電話設備を有する構成であって、前記コンピュータシステムはデータインタフェースを介し前記電話設備に接続され、
ユーザデータを読み込む入力ユニットと、
前記ユーザデータの検証のため、前記読み込まれたユーザデータと格納されているユーザデータとを比較するロジックユニットと、
前記読み込まれたユーザデータによりトリガされる当該構成の動作状態の変更に応じて制御データを生成する制御ユニットと、
前記制御データに応じて１以上のパラメータを設定する設定ユニットと、
を有し、
前記設定ユニットは、前記制御ユニットにより駆動され、
前記入力ユニット、前記ロジックユニット及び前記制御ユニットは前記電話設備に構成され、前記設定ユニットは前記コンピュータシステムに構成される構成。
【請求項７】
前記コンピュータシステムは、少なくとも１つのホストシステムと、前記ホストシステムにより管理される少なくとも１つのクライアントシステムとを有する、請求項６記載の構成。
【請求項８】
前記電話設備は、少なくとも１つの管理システムと、前記管理システムにより管理される少なくとも１つの電話機とを有する、請求項６又は７記載の構成。
【発明の詳細な説明】
【技術分野】
【０００１】
本発明は、コンピュータシステム及び電話設備を有する構成又は装置を設定する方法に関し、コンピュータシステムは、データインタフェースを介し電話設備に接続され、コンピュータシステム及び電話設備は、各ケースにおいて少なくとも１つの第１動作状態及び第２動作状態を有することが可能である。
【０００２】
さらに、本発明は、コンピュータシステム及び電話設備を有する構成又は装置に関し、コンピュータシステムはデータインタフェースを介し電話設備に接続される。
【背景技術】
【０００３】
コンピュータシステム及び電話設備、特にワークステーションコンピュータ及び電話機は、互いに別々に管理されている。ワークステーションコンピュータは、例えば、異なるユーザアカウントなどによって設定されるか、あるいは、クライアントシステムとしてホストシステムに接続されるか、又は接続可能である。ワークステーションコンピュータは、いわゆる、デスクトップのディスプレイの特定の様相又はアプリケーションプログラム若しくはソフトウェアへの所定のアクセスが、各ユーザアカウントについて予め決定されるように、設定可能である。さらに、有効なユーザデータ（ユーザ名及びパスワードを有するログイン情報）を入力することによってのみユーザアカウントへのアクセスが行われるとう構成可能である。さらに、例えば、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）規格に従う所定の時間後のスタンバイ状態などの動作状態及びエネルギー管理が、予め決定可能である。
【０００４】
電話、特に電話設備の電話機は、例えば、特定の短いコードダイヤリングキーが所定のディレクトリ番号又は電話番号によって占められ、特定の呼出音が選択され、それの音量及び電話機における受話器の音量が調節されるなどによって設定可能である。さらに、電話転送、内線及び自動応答マシーン機能のプログラミング又は着信のディレクトリ番号のリストが設定可能である。
【０００５】
以下の説明では、コンピュータシステムという用語は、デスクトップＰＣ、シンクライアント、サーバ又はホストクライアントシステムなどのすべてのタイプのコンピュータを含む。以下の説明では、電話設備という用語は、電話、電話管理システムを有する電話機及びインターネット電話対応の電話（いわゆる、ボイスオーバＩＰ電話）を含む。以下の説明では、コンピュータシステム及び電話設備は、別々のハウジングに構成される別々の電子設備を示す。
【０００６】
ワークステーション、自宅又はオフィス環境では、大部分のケースにおいて、ワークステーションコンピュータに加えて電話機がある。ワークステーションを変更する場合、又はワークステーションを離れるとき、ワークステーションコンピュータと電話機とは、互いに独立に動作する。特に、第１ワークステーションから第２ワークステーションへのワークステーションの変更の場合、第１ワークステーションにある電話機から第２ワークステーションにある他の電話機への通話の転換がまた、例えば、異なるワークステーションコンピュータのユーザアカウントの登録及び登録解除とは別に必要である。さらに、“海外”電話は第２ワークステーションのみで利用可能である。これは、第２ワークステーションにある電話は新たなユーザの要求及び設定に従って設定されない可能性があることを意味する。従って、ユーザは、ワークステーションの変更がある毎に、自らの通常の電話機の設定をスイッチオフし、自分のコンセプトに従って新たなワークステーションで電話を設定しなければならない。設定されるパラメータは、例えば、電話機における上述された設定などである。
【発明の概要】
【発明が解決しようとする課題】
【０００７】
このため、現在のＩＴシステムでは、ワークステーションの変更は、快適でなく時間のかかるものである。
【０００８】
従って、課題は、最初に述べられたタイプのコンピュータシステム及び電話設備の管理と、特にこれら２つの装置のユーザのワークステーションの変更を簡略化することからなる。
【課題を解決するための手段】
【０００９】
第１の態様では、上記課題は、上述したタイプのコンピュータシステム及び電話設備を有する構成を設定する方法により解決される。本方法は、前記第１動作状態から前記第２動作状態への前記コンピュータシステムの動作状態の変更に応じて、前記コンピュータシステムの制御ユニットにより制御データを生成するステップと、前記データインタフェースを介し前記コンピュータシステムと前記電話設備との間で前記制御データをやりとりするステップと、前記やりとりされる制御データに応じて、前記電話設備の設定ユニットにより前記電話設備の前記第２動作状態のために１以上のパラメータを設定するステップと、前記第１動作状態から前記設定された第２動作状態に前記電話設備の動作状態を変更するステップとを有する。
【００１０】
当該方法は、電話設備が制御データのコンテンツに応じてコンピュータシステムの制御データによって実行、自動化及びトリガされるよう設定されることを可能にする。制御データは、コンピュータシステムが第１動作状態から第２動作状態に変わるときに生成される。従って、コンピュータシステムに割り当てられた電話設備に対するパーソナル化された設定の送信及び設定は、コンピュータシステムのアクションにより実行可能である。パーソナル化された設定は、電話設備において採用可能であり、電話設備は、第１動作状態から設定及びパーソナル化された第２動作状態に変わる。
【００１１】
当該手段は、コンピュータシステムの動作状態の変更が電話設備の動作状態の自動的な変更に関連付け可能であることと、コンピュータシステムの動作状態の変更によりトリガされ、一般には電話設備の第２動作状態のパラメータであるパーソナル化された設定が、電話設備及び／又はその電話機に転送可能であるということの双方の効果を有する。
【００１２】
例えば、コンピュータシステムの動作状態の変更は、コンピュータシステムにアクセスするユーザによりトリガ可能である。これは、電話設備に特別な制御データを転送し、電話設備においてユーザにより予め決定されたパラメータを設定することによって、電話設備の設定をトリガする。これにより、ユーザは、コンピュータシステムにおける単一のアクションによって互いに別々に設定されたコンピュータシステム及び電話設備の各装置を管理することが可能である。
【００１３】
さらなる態様では、上記課題は、上述したタイプのコンピュータシステム及び電話設備を有する構成を設定する方法により解決される。本方法は、前記第１動作状態から前記第２動作状態への前記電話設備の動作状態の変更に応じて、前記電話設備の制御ユニットにより制御データを生成するステップと、前記データインタフェースを介し前記コンピュータシステムと前記電話設備との間で前記制御データをやりとりするステップと、前記やりとりされる制御データに応じて、前記コンピュータシステムの設定ユニットにより前記電話設備の前記第２動作状態のために１以上のパラメータを設定するステップと、前記第１動作状態から前記設定された第２動作状態に前記コンピュータシステムの動作状態を変更するステップとを有する。
【００１４】
上記方法の反対のケースが、当該方法により示される。本方法では、電話設備が第１動作状態から第２動作状態に変更した後、電話設備によりコンピュータシステムに送信される制御データに応じて、コンピュータシステムの自動的設定が実行される。電話設備におけるアクションによって、電話設備に割り当てられたパーソナル化された調整を設定し、コンピュータシステムに転送することがトリガ及び実行され、その後、コンピュータシステムは、第１動作状態から設定された第２動作状態に変わる。電話設備の動作状態の変更は、例えば、ユーザが自らの認証のため電話機に数字の識別情報を入力するなどのユーザアクションよりトリガ可能である。この処理中、ユーザにより予め決定された動作状態でのコンピュータシステムのスタートアップ又はユーザによりパーソナル化されたユーザアカウントへのアクセスがトリガ可能である。本方法ではまた、別々に設定されたコンピュータシステムと電話設備の２つの装置が、電話設備の単一のアクションにより管理される。
【００１５】
上述された２つの方法は、ワークステーション環境における別々の電子装置がより快適に管理されることを可能にする。特に、ユーザのワークステーションの変更は、新たなワークステーションにおいてユーザはこれらの装置の１つにおけるアクションにより動作状態の変更をトリガしさえすればよいため、よりシンプルなものになり、設定、特に第２装置へのパーソナル化された調整の転送及び第２装置の第２動作状態への変更が自動的にトリガされる。
【００１６】
上述された双方の方法において、好ましくは、前記コンピュータシステム又は前記電話設備の入力ユニットによって、ユーザデータ及び／又はユーザ命令が読み込まれ、それらの有効性が、前記コンピュータシステム又は前記電話設備に格納されたユーザデータ又はプログラムされたユーザ命令を用いてロジックユニットにより確認される。これは、装置における特定のユーザデータにより認証されることによって、及び／又は動作状態の変更を導く命令などの特別なユーザ命令を発信することによって、ユーザがコンピュータシステム又は電話設備へのアクセスを要求することを意味する。その後、ユーザが認証されたときに限って、ユーザが装置へのアクセスを取得するか、又はそれらが有効で実行可能な命令を表す場合に限って、命令が実行されるように、入力されたデータがその有効性について確認される。これは、装置に対するアクセス保護及びそれらの動作安全性を増大させる。
【００１７】
ユーザデータ及び／又はユーザ命令は、何れかのタイプのパーソナル化されたアクセスデータ又はコマンド命令を有することが可能である。コンピュータシステムのケースでは、ユーザデータは、特に概してパスワードによりプロテクトされるログイン情報アイテムを有する。電話設備のケースでは、ユーザデータは、例えば、いわゆるＰＩＮ（Ｐｅｒｓｏｎａｌ  Ｉｄｅｎｔｉｆｉｃａｔｉｏｎ  Ｎｕｍｂｅｒ）アクセス保護に対応する各ユーザにのみ知られている数字の組み合わせ又は数字の識別情報などを有する。現在の電話機のケースでは、しかしながら、特定のワード又はワードグループをキー入力を介し読み込むことが可能であり、アルファベットの１以上の文字が各キーに割り当てられる。最もシンプルなケースでは、コンピュータシステム又は電話設備において特定のキーを操作することによって、有効なユーザ命令をトリガすることも可能である。
【００１８】
好ましくは、前記読み込まれたユーザデータ及び／又はユーザ命令が前記ロジックユニットにより有効であると評価されると、前記第１動作状態から前記第２動作状態への動作状態の変更がトリガされる。この態様は、上述された方法の双方において、コンピュータシステムの動作状態の変更と電話設備の動作状態の変更との双方に関連しうる。従って、ユーザが認証されたり、あるいは有効なユーザ命令を発信するようユーザに要求するのは、これら２つの装置の１つへのアクセスのみでない。
【００１９】
これは、各ケースにおいて他方の装置の自動設定のための制御データのみが生成され、ユーザが有効と認証され、さらにユーザによりアクセスされた装置の動作状態の変更がトリガされた場合、データインタフェースを介し他方の装置に転送される。ユーザデータが無効であると評価された場合、双方の装置又は少なくとも設定対象の装置は第１動作状態に留まり、これにより、設定対象の装置の少なくとも１つの自動設定が行われなくなる。例えば、電話機は、コンピュータシステムにおけるユーザの登録が失敗した場合、設定されずに第１動作状態に留まる。他方、コンピュータシステムは、例えば、電話機へのユーザのアクセスが失敗した場合、一般的な登録画面を有する動作状態に留まる。
【００２０】
好ましくは、前記制御データは、前記読み込まれたユーザデータ及び／又はユーザ命令に応じて生成される。これは、制御データがユーザによりアクセスされた装置の動作状態の変更に応じてのみでなく生成されることを意味する。制御データはまた、読み込まれたユーザデータのコンテンツに依存する。従って、異なる制御データが、コンピュータシステム又は電話設備において異なるユーザデータを入力する異なるユーザについても生成される。ユーザに依存したパラメータの調整が、設定対象の装置における個々の制御データを用いて実行可能である。当該手段によって、コンピュータシステム又は電話設備は、何れのユーザが装置にアクセスすることを所望しているか検出し、対応する制御データを生成し、これらを他方の装置に転送し、ユーザについてパーソナル化された他方の装置の設定をトリガする。
【００２１】
制御データはすでに設定対象の装置の設定ユニットに転送されるパーソナル化された調整を有し、これにより、設定ユニットはこれらの調整をプログラムしさえすればよいことが想到できる。しかしながら、制御データは設定対象の装置の設定ユニットにおいてのみ解釈され、設定対象の装置の対応するプログラミングを生じさせる設定ユニットの調整が生成されるコマンド命令のみを有することが想到可能である。双方の代替が想到できるが、特別なロジックユニット及びデータインタフェースを有するコンピュータシステム及び電話設備の実施例に依存する。
【００２２】
好ましくは、前記電話設備の第２動作状態のパラメータは、エネルギー消費、呼出音、音量、短いコードダイヤルキーへの所定のディレクトリ番号の割当て、通話転送、自動応答マシーン機能、及び通話リストのパラメータの少なくとも１つを有する。これらは、ユーザが個別に自分のコンセプトに適応させたい電話設備の典型的なパラメータである。上述した第１タイプの方法では、このように設定されたパラメータは、コンピュータシステムが電話設備を設定するように、ユーザがコンピュータシステムのユーザアカウントへのアクセスをトリガする場合、新たな電話設備に採用可能である。ユーザは、自分のワークステーションを快適に変更し、新たなワークステーションにおいてワークステーションコンピュータにアクセスすることが可能であり、古いワークステーションの通常の電話設備におけるユーザのすべての設定が、新たなワークステーションの電話設備において自動的に採用される。新たなワークステーションにおける電話設備の再設定に時間がかからない。
【００２３】
好ましくは、前記コンピュータシステムの第２動作状態のパラメータは、エネルギー消費、格納されているデータへのアクセス権限、データインタフェースへのアクセス権限、アプリケーションプログラムの実行、前記コンピュータシステムのディスプレイユニットのディスプレイの様相、及び前記コンピュータシステムの音声出力ユニットの音声出力のパラメータの少なくとも１つを有する。特に上述した第２タイプの方法では、ユーザは、関連するコンピュータシステムの電話設備へのアクセスによって、パーソナル設定を採用可能である。従って、コンピュータシステムは、例えば、電話設備へのアクセスなどによってスタートアップされ、コンピュータシステムの対応するパーソナル化されたユーザアカウントが開かれる。コンピュータシステムにおけるユーザ入力の長い設定や別の登録はない。
【００２４】
好ましくは、前記コンピュータシステム及び前記電話設備の設置場所に関する情報及び／又はデバイス情報が、前記データインタフェースを介し前記コンピュータシステムと前記電話設備との間でやりとりされる。上述された情報は、制御データに含まれるか、又は別々に転送可能である。
【００２５】
ここで、コンピュータシステムの電話設備の識別番号、ＭＡＣ（Ｍｅｄｉａ  Ａｃｃｅｓｓ  Ｃｏｎｔｒｏｌ）アドレス又は電話設備におけるコンピュータシステムの他の何れかの識別番号など、コンピュータシステムの電話設備のデバイス情報及び／又は電話設備のコンピュータシステムのデバイス情報を格納することが可能である。すべてのコンピュータシステムは、それが何れの電話設備と制御データをやりとりしなければならないか知っており、他方、すべての電話設備は、それが何れかのコンピュータシステムと制御データをやりとりしなければならないかを知っている。
【００２６】
しかしながら、電子的に格納されているワークステーション番号やルーム番号など、コンピュータシステム及び電話設備の設置場所に関する情報は、コンピュータシステム及び関連する電話設備に格納することが可能である。これはまた、コンピュータシステムと電話設備との相関を確保する。
【００２７】
これらの手段は、コンピュータシステムと電話設備との２つの別々の装置が互いに相関可能であり、制御データの形態により電子情報をやりとりすることが可能であるように求められる。特にコンピュータシステムが、ホストシステムとしての１以上のサーバと、クライアントシステムとしての１以上のワークステーションコンピュータなどを有し、電話設備が１以上の管理システムと１以上の電話機とを有するネットワークにおいて、当該情報を介してワークステーションコンピュータと対応する電話機とをリンクさせる必要がある。ユーザが、例えば、ワークステーションコンピュータＡに登録している場合、装置識別情報Ａが生成され、サーバに転送される。サーバでは、サーバが装置識別情報Ａを検索し、電話機Ｂとのリンクを決定する割当てリストなどが格納される。電話機Ｂを設定するための制御データが、最終的にサーバから制御データを電話機Ｂに転送する電話設備の管理システムに転送される。しかしながら、装置識別情報Ａと電話機Ｂとを相関させるための割当てテーブルは、電話設備の管理システムに格納することが可能である。この場合、コンピュータシステムのサーバは、装置識別情報Ａを電話設備の管理システムに転送し、管理システムはさらにワークステーションコンピュータＡと対応する電話機Ｂとの相関を決定する。
【００２８】
さらなる態様では、上記課題は、コンピュータシステム及び電話設備を有する構成であって、前記コンピュータシステムはデータインタフェースを介し前記電話設備に接続される構成により解決される。当該構成は、当該構成の動作状態の変更に応じて制御データを生成する制御ユニットと、前記制御データに応じて１以上のパラメータを設定する設定ユニットとを有し、前記設定ユニットは、前記制御ユニットにより駆動され、前記制御ユニットは前記コンピュータシステムに構成され、前記設定ユニットは前記電話設備に構成されるか、又は前記制御ユニットは前記電話設備に構成され、前記設定ユニットは前記コンピュータシステムに構成される。
【００２９】
当該構成は、コンピュータシステム及び電話設備の各装置の１つが他方に構成される制御ユニットの制御データに応じて設定されることを可能にする。制御データの生成は、好ましくは、制御ユニットが配置される装置の動作状態の変更によりトリガされる。設定ユニットが配置された装置が設定された後、当該装置はまた、設定されたパラメータにより動作状態の変更を実行可能である。当該構成は、コンピュータシステム及び電話設備の双方が装置の１つにおけるアクションによりトリガ及び生成された制御データにより管理されることを可能にする。従って、ユーザは、双方の装置をパラレルに管理することが可能になるように、装置の一方にアクセスしさえすればよい。特に、上述した方法の一方又は双方は、当該構成により効果的に実行される。
【００３０】
好ましくは、前記コンピュータシステムは、少なくとも１つのホストシステムと、前記ホストシステムにより管理される少なくとも１つのクライアントシステムとを有する。好ましくは、前記電話設備は、少なくとも１つの管理システムと、前記管理システムにより管理される少なくとも１つの電話機とを有する。
【００３１】
以下の説明において、図面の実施例を参照して主題がより詳細に説明される。
【図面の簡単な説明】
【００３２】
【図１】図１は、コンピュータシステム及び電話設備を有する構成の第１実施例を示す。
【図２】図２は、コンピュータシステム及び電話設備を有する構成の第２実施例を示す。
【図３】図３は、コンピュータシステム及び電話設備を有する構成の第３実施例を示す。
【図４】図４は、コンピュータシステム及び電話設備を有する構成の第４実施例を示す。
【図５】図５は、コンピュータシステム及び電話設備を設定する方法のフローチャートを示す。
【発明を実施するための形態】
【００３３】
図１は、コンピュータシステム１及び電話設備２を有する構成の第１実施例を示す。コンピュータシステム１は、データインタフェース３を介し電話設備２に接続され、コンピュータシステムはインタフェースターミナル１３ａを有し、電話設備２はデータインタフェース３を介しこれら２つの装置を接続するためのインタフェースターミナル１３ｂを有する。データインタフェース３を介し、データはコンピュータシステム１と電話設備２との間で双方向にやりとり可能である。しかしながら、本実施例では、コンピュータシステム１から電話設備２への一方向のやりとりのみも設定可能である。
【００３４】
コンピュータシステム１は、例えば、デスクトップコンピュータやノートブックなどのワークステーションコンピュータである。電話設備は、例えば、受話器若しくはヘッドセット、英数字キーパッドと所定の機能を有するファンクションキー及びディスプレイを有する従来の電話機である。
【００３５】
コンピュータシステム１は、コンピュータシステム１へのデータ入力を読み込むための入力ユニット６を示す（矢印を参照）。このため、入力ユニット６は、インタフェースターミナル１８ａを有する入出力インタフェース、すなわち、Ｉ／Ｏインタフェース８を有する。入力ユニット６は、例えば、キーボード、マウス、タッチ感応画面、音声入力インタフェース又は他の何れかの想起可能なマン・マシーン通信インタフェースなどである。情報及びデータは、入力ユニット６を介しコンピュータシステム１に読み込み可能である。これらのデータは、例えば、ユーザデータ又はユーザ命令などを含む。データは、ロジックユニット９により読み込まれ、例えば、格納されているユーザデータ又はプログラムされているユーザ命令などと比較される。肯定的な比較結果は、入力データが有効であることを意味する。
【００３６】
データが有効である場合、ロジックユニット９は、制御ユニット４に転送される対応する信号を生成する。制御ユニット４は、当該信号を解釈し、読み込まれたユーザデータ又はユーザ命令に応じて制御データを生成する。これらの制御データはまた、異なるユーザデータ又はユーザ命令に対して異なっている。しかしながら、制御データはまた、ユーザデータ又はユーザ命令に応じて少なくとも部分的に同じ情報コンテンツを示しうる。制御データは、最終的にコンピュータシステム１のインタフェースターミナル１３ａにおいて提供される。
【００３７】
データインタフェース３は、コンピュータシステム１からの制御データを電話設備２に転送するのに利用される。制御データは、インタフェースターミナル１３ｂを介し電話設備２により受信され、設定ユニット５に転送される。設定ユニット５では、制御データが解釈され、電話設備２の各設定がコンピュータシステム１におけるユーザデータ又はユーザ命令に応じて実行可能となるように、パラメーラの設定をトリガする。設定ユニット５は、例えば、エネルギー消費、呼出音、音量、所定のディレクトリ番号の短いコードダイヤリングキーへの割当て、内線若しくは計時される通話転送、又は自動応答マシーン機能などの特定のパラメータをプログラムする。
【００３８】
パラメータセットはまた、電話設備２のＩ／Ｏインタフェース８のインタフェースターミナル１８ｂによる電話設備２の出力ユニット７におけるデータ出力（矢印を参照）に影響を与える。出力ユニット７は、例えば、ディスプレイ、ラウドスピーカー、ＬＥＤディスプレイなどである。電話設備２のＩ／Ｏインタフェース８は、例えば、受話器、ヘッドセット、所定のファンクションを有するキー、１以上のダイヤリングホイール、タッチ感応画面、テレビ電話用カメラ、音声認識システムなど、インタフェースターミナル１８ｂを有する何れかのマン・マシーン通信インタフェースを表すものであってもよい。
【００３９】
このような構成は、最終的にはコンピュータシステム１の動作状態の第１動作状態から第２動作状態への変更がコンピュータシステム１におけるユーザ入力又はユーザ命令によりトリガされることを可能にし、ユーザ入力に応じた制御データが生成され、データインタフェース３を介し電話設備２に転送される。電話転送２は、これに対応して設定され、第１動作状態から設定されている第２動作状態に変わる。電話設備のパラメータの設定はすでにコンピュータシステム１において規定され、対応する制御コマンドが制御データを介し電話設備２に転送され、電話設備２の設定ユニット５においてのみ実行される必要がある。しかしながら、コンピュータシステム１では、電話設備２の設定ユニット５によってのみ処理され、以降にプログラムされる対応する設定にリンクされるユーザに応じた制御データのみが生成される。
【００４０】
コンピュータシステム１と電話設備２との間の相関情報は、コンピュータシステム１と電話設備２との間のローカルな又は装置に応じた相関が提供されるように、装置１及び装置２の一方又は双方に格納されることのみ必要である。コンピュータシステム１におけるユーザアクションによって、コンピュータシステム１と電話設備２との双方が、設定及び管理可能である。ユーザは、装置１と装置２の双方における何れかの精緻で時間のかかる調整を実行する必要がない。特に、ワークステーションの変更の場合、電話設備２のパーソナル化された調整は、コンピュータシステム１においてユーザを登録及び登録解除するのみによって、新たな電話設備に転送可能である。
【００４１】
図２は、コンピュータシステム１及び電話設備２を有する構成の第２実施例を示す。しかしながら、図１による実施例との相違は、制御データをやりとりし、対応する装置を設定するための必須のコンポーネントが、図１の実施例と比較して装置１及び装置２において互換的に構成されることからなる。従って、電話設備２は、対応するＩ／Ｏインタフェース８を有する入力ユニット６、入力データの有効性をチェックするロジックユニット９及び制御データを生成する制御ユニット４を有する。これらの制御データは、インタフェースターミナル１３ｂ及びデータインタフェース３を介しコンピュータシステム１のインタフェースターミナル１３ａに転送される。コンピュータシステム１は、制御データを解釈し、特に対応するＩ／Ｏインタフェース８及びインタフェースターミナル１８ａを有する出力ユニット７に影響を与える対応するパラメータを設定する設定ユニット５を有する。
【００４２】
本実施例によると、コンピュータシステム１の設定は、電話設備２において生成された制御データを介し自動的に実現可能である。例えば、ユーザは、数字の特定の形態などにより入力ユニット６を介し電話設備２において特定のユーザ命令又はユーザデータを入力可能であり、パーソナル化された制御データが、コンピュータシステム１においてユーザの所定のユーザアカウントの設定を指定するパーソナル化された制御データが、制御ユニット４において生成される。その後、ユーザは、コンピュータシステム１における自らのユーザアカウントにおいて自動的に登録される。従って、すべてのパーソナル化された設定が、電話設備２における認証後にコンピュータシステム１のユーザに利用可能である。
【００４３】
図３は、コンピュータシステム１及び電話設備２のさらなる実施例を示し、本実施例では、コンピュータシステム１は、図１からのコンピュータシステム１のすべてのコンポーネントを有するホストシステム１０と、ホストシステム１０に接続されるクライアントシステム１１ａ，１１ｂ，１１ｃとを示す。ホストシステム１０において入力ユニット６に構成されるコンピュータシステム１のインタフェースターミナル１８ａが、クライアントシステム１１ａ，１１ｂ，１１ｃとホストシステム１０とを接続するのに利用される。各クライアントシステム１１ａ，１１ｂ，１１ｃは、ホストシステムを介しアドレス指定、制御及び管理可能である。ネットワークリンクが、例えば、ローカルエリアネットワーク（ＬＡＮ）を介し設定される。
【００４４】
本実施例では、電話設備２は、図１からの電話設備２のすべてのコンポーネントを有する管理システム２０を有し、いくつかの電話機２１ａ，２１ｂ，２１ｃが管理システム２０に接続される。電話機２１ａ，２１ｂ，２１ｃを管理システム２０に接続するため、管理システム２０において出力ユニット７に構成される電話設備２のインタフェースターミナル１８ｂが利用される。管理システム２０は、各電話機２１ａ，２１ｂ，２１ｃに発信を伝達し、内線の配信及びダイヤル発信を整理する。管理システム２０は、例えば、シーメンスカンパニーによるＨｉｃｏｍ又はＨｉＰａｔｈタイプの電話設備などである。
【００４５】
クライアントシステム１１ａ，１１ｂ，１１ｃの１つと電話機２１ａ，２１ｂ，２１ｃの１つとがワークステーションにおいて利用可能である。例えば、クライアントシステム１１ｂと電話機２１ｂとが、ワークステーションに収容される。このローカルな関係は、図３の２つの装置の間の破線の接続により図示される。ユーザがクライアントシステム１１ｂにおいてログインした場合、ユーザデータ及び／又はユーザ命令は、入力ユニット６を介しホストシステム１０に読み込まれ、図１において説明された方法に従って制御データに変換され、当該データは、データインタフェース３を介し電話設備２の管理システム２０に転送される。その後、管理システム２０の設定ユニット５は、パラメータの設定を生成し、相関情報、すなわち、ユーザがアクションを開始したクライアントシステム１１ｂの識別情報を受信する。管理システム２０の設定ユニット５及び／又はホストシステム１０の制御ユニット４は、クライアントシステム１１ｂの相関情報と電話設備２のすべての電話機２１ａ，２１ｂ，２１ｃの相関情報とを比較する。クライアントシステム１１ｂは、ルックアップテーブルからのデータの比較などによって、電話機２１ｂに割り当てられる。
【００４６】
パラメータセットは、その後、設定ユニット５及び出力ユニット７を介し電話機２１ｂに転送可能である。電話機２１ｂは、設定ユニット５からの設定に従ってプログラムされる。
【００４７】
当該構成の実施例に依存して、パラメータの設定は、ホストシステム１０の制御ユニット４においてすでに予め決定可能であり、これらの設定は管理システム２０の設定ユニット５に転送可能であり、設定ユニット５は、電話機２１ｂにおいてこれらの設定をプログラムしさえすればよい。しかしながら、ホストシステム１０の制御ユニット４のみがクライアントシステム１１ｂを介し情報を生成し、当該情報は管理システム２０の設定ユニット５において処理され、パラメータの設定が設定ユニット５においてのみ指定及び実行されることがまた想到しうる。
【００４８】
図４は、コンピュータシステム１及び電話設備２を有する構成のさらなる実施例を示し、図３によると、コンピュータシステム１及び電話設備２はそれぞれ接続されている電話機を有するホスト／クライアントシステム又は管理システムとして設計されるが、ホストシステム１０又は管理システム２０はそれぞれ、それらの機能において図２に従って構成される。ここでは、クライアントシステム１１ｂ及び電話機２１ｂは、図３と同様に１つの場所に連結して管理される必要がある。しかしながら、ここでは、クライアントシステム１１ｂは、制御データが生成され、電話機２１ｂにおけるユーザ入力のため、ロジックユニット９及び制御ユニット４を介しホストシステム１０の設定ユニット５に転送される。設定ユニット５は、クライアントシステム１１ｂがパーソナル化された設定を介し構成可能となるように、上述された方法に従ってパラメータの設定を生成する。これに関する対応する説明が、図２からの等価な説明において見つけることができる。
【００４９】
図１〜４からの実施例の合成された形態を生成することがまた想到可能である。従って、例えば、コンピュータシステム１は、管理システム２０及びいくつかの電話機２１ａ，２１ｂ，２１ｃを有する電話設備２の電話機と共に、ワークステーションに構成される単一のワークステーションコンピュータとすることが可能である。他方、ホストシステム１０を介し管理されるクライアントシステム１１ａ，１１ｂ，１１ｃのグループからのクライアントシステムと単一の電話機とをリンクさせることが想到できる。
【００５０】
これらの装置の設計に依存して、データインタフェース３はまた対応して構成される必要がある。従って、例えば、各装置１１ａ，１１ｂ，１１ｃ，２１ａ，２１ｂ，２１ｃの間において図３，４からの実施例に従ってデータインタフェース３を提供することが想到できる。ここで、クライアントシステム１１ａ，１１ｂ，１１ｃはホストシステム１０を介し管理され、電話機２１ａ，２１ｂ，２１ｃは管理システム２０を介し管理されるが、制御データのデータ交換は、各装置１１ａ，１１ｂ，１１ｃ，２１ａ，２１ｂ，２１ｃの間で直接的に実行可能である。また、ホストシステム１０と電話機２１ａ，２１ｂ，２１ｃとの間に、又は管理システム２０とクライアントシステム１１ａ，１１ｂ，１１ｃとの間にデータインタフェース３を設けることもまた可能である。
【００５１】
図３，４に従って電話設備２を構成することは、例えば、電話機２１ａ，２１ｂ，２１ｃがネットワークリンクを介し互いに接続されるインターネット電話対応の電話である場合などに適している。しかしながら、電話機２１ａ，２１ｂ，２１ｃが従来のアナログ電話機を表す場合、電話機２１ａ，２１ｂ，２１ｃを設定するためのデータリンク３がまた、電話機２１ａ，２１ｂ，２１ｃが管理システム２０を介し管理されていない場合、又は制限的な方法のみによる場合、ホストシステム１０又はクライアントシステム１１ａ，１１ｂ，１１ｃから電話機２１ａ，２１ｂ，２１ｃに直接的に導くことが可能である。ここで、コンピュータシステム１の電話機２１ａ，２１ｂ，２１ｃのすべてのパーソナル化された設定を実行し、これらの設定をデータインタフェース３のみを介し各電話機２１ａ，２１ｂ，２１ｃに転送することが想到可能であってもよい。
【００５２】
図５は、コンピュータシステム１及び電話設備２を設定するための方法のフローチャートを示す。例えば、本方法は、電話設備がコンピュータシステムにおけるユーザ入力により自動設定可能であるよう具体化される。
【００５３】
第１ステップＳ１において、コンピュータシステム１においてユーザにより入力されるユーザデータ又はユーザ命令が読み込まれる。さらに、これらの入力されたユーザデータ又はユーザ命令が有効であるか確認される。有効でない場合、ステップＳ１に戻って、さらなる又は新たなユーザデータ又はユーザ命令の入力を期待する。しかしながら、データが有効である場合、ユーザは認証可能であり、コンピュータにアクセス可能であると想定される。その後、当該処理はステップＳ２に移行し、例えば、コンピュータシステムのユーザアカウントのユーザの登録成功後などに、コンピュータシステムの動作状態の変更が実行される。動作状態の変更は、例えば、スイッチオフ又はスタンバイ状態からのコンピュータシステムのスタートアップなどを説明できる。しかしながら、ユーザがコンピュータシステムをスイッチオフし、シャットダウンするためのユーザ命令を入力している逆のケースもまた可能である。動作状態の変更はまた、高いエネルギー消費の動作状態から低いエネルギー消費の動作状態への移行において想到可能であり、あるいはその反対も想到可能である。
【００５４】
動作状態の変更後、ステップＳ３において、ユーザデータ又はユーザ命令に応じて制御データが生成される。制御データは、ステップＳ１においてコンピュータシステムに登録したユーザのパーソナル化された設定に従って電話設備の設定のための命令を含む。
【００５５】
ステップＳ４において、制御データは、データインタフェースを介し電話設備に転送される。制御データは、ステップＳ５において、例えば、設定ユニットを介し解釈され、その後、１以上のパラメータが電話設備の設定のため構成される。さらに、パラメータが完全に設定されているか確認される。完全に設定されていない場合、ステップＳ５は、すべてのパラメータが設定されるまで継続される。その後、電話設備は、おそらくユーザのパーソナル化された設定に従って新たに設定されたパラメータによりプログラムされ、ステップＳ６に従って第１動作状態から第２の所定の動作状態への電話設備の動作状態の変更が実行される。
【００５６】
この後、電話設備はまた第２動作状態となり、コンピュータシステム１においてログインしたユーザのすべてのパーソナル化された設定が、電話設備に転送されている。従って、特にワークステーションの変更のケースでは、ユーザは、コンピュータシステムにおけるアクションのみによってシンプルに関連する電話設備を設定することが可能である。本方法は終了される。
【００５７】
すべての実施例において、コンポーネント４，５，９は、論理回路又はコンピュータプログラムを表す。論理回路は、例えば、マイクロコントローラ又はＦＰＧＡ（Ｆｉｅｌｄ  Ｐｒｏｇｒａｍｍａｂｌｅ  Ｇａｔｅ  Ａｒｒａｙ）の形態などにより実現可能である。コンピュータプログラムは、例えば、Ｃ、Ｃ＋＋、Ｊａｖａ(登録商標)などのプログラミング言語又はアセンブラコードによるプログラムコードを表すことが可能である。
【００５８】
動作状態の変更という用語は、コンピュータシステム１又は電話設備２における動作状態のすべての変更に関し、特にコンピュータシステム１のケースでは、コンピュータシステムにおける特定のユーザアカウントへのアクセス及び関連するアクセス権限に関するエネルギーセービング状態の変更が説明される。電話設備２では、これは、通話転送、応答マシーン機能又は電話のミュート化などの特定のパラメータの設定におそらく関連してエネルギーセービング状態のすべての変更を含む。従って、例えば、電話設備２の電話機は、関連するコンピュータシステム１が対応する命令を介しユーザによりセービング状態に置かれると、現在のセービングモードに切り替え可能である。他方、電話設備２の電話機は、ユーザが関連するコンピュータシステム１においてログインすると、ウェイクアップ可能である。上述した及び明示的に説明されたタイプのさらなる調整が、双方の装置において実行される。
【００５９】
また、特定の基本機能又は緊急機能がまた上述されたタイプの方法に従う自動的な設定なしに実行可能である方法により、コンピュータシステムと電話設備との双方を設定することが想到可能である。従って、電話機から電話することが依然として可能であり、コンピュータシステムが基本機能を有する一般的動作状態を有することが想到可能であろう。従って、双方の装置はまた、設定なしに利用可能であり、また、少なくとも非設定タイプ及び限定的な基本機能によって他方の装置におけるアクションから独立して利用可能である。
【符号の説明】
【００６０】
１  コンピュータシステム
２  電話設備
３  データインタフェース
４  制御ユニット
５  設定ユニット
６  入力ユニット
７  出力ユニット
８  Ｉ／Ｏインタフェース
９  ロジックユニット
１０  ホストシステム
１１ａ，１１ｂ，１１ｃ  クライアントシステム
１３ａ，１３ｂ  インタフェースターミナル
１８ａ，１８ｂ  インタフェースターミナル
２０  管理システム
２１ａ，２１ｂ，２１ｃ  電話機
Ｓ１〜Ｓ６  方法ステップ
【図１】
0005859553.tif 000002
【図２】
0005859553.tif 000003
【図３】
0005859553.tif 000004
【図４】
0005859553.tif 000005
【図５】
0005859553.tif 000006